(57)【要約】  本出願は、ジョイントデータ送信方法及び装置を提供する。全ての分散送信ユニットがクラスタに分類され、ターゲットユーザ装置が各サブクラスタから選択されるとともに、さらに、次元数を削減するために、グループ分けがユーザ装置単位で実行され、その結果、ジョイント送信パラメータが決定され、ジョイントデータ送信が実行される。このようにして、サブクラスタ間の干渉が回避されることができ、複雑さが低減され、それにより、システム性能が向上する。
2019504549.tif 000002
【特許請求の範囲】
【請求項１】
ジョイントデータ送信方法であって、
処理ユニットによって、前記処理ユニットに接続された分散送信ユニットをＮ個のサブクラスタに分類するステップと、
前記処理ユニットによって、各サブクラスタによってカバーされるユーザ装置から１つ又は複数のターゲットユーザ装置を選択するステップと、
前記処理ユニットによって、前記Ｎ個のサブクラスタ内の前記分散送信ユニットを使用することによって、前記１つ又は複数のターゲットユーザ装置に対するジョイントデータ送信を実行するステップとを含む、方法。
【請求項２】
ジョイントデータ送信方法であって、
処理ユニットによって、前記処理ユニットに接続された分散送信ユニットをＮ個のサブクラスタに分類するステップと、
前記処理ユニットによって、各サブクラスタによってカバーされるユーザ装置から１つ又は複数のターゲットユーザ装置を選択するステップと、
前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための１つ又は複数の分散送信ユニットを選択し、前記選択された分散送信ユニットから干渉を受ける他のターゲットユーザ装置を決定するとともに、前記選択された分散送信ユニットによって前記他のターゲットユーザ装置にもたらされる前記干渉に関する情報に従って、前記ターゲットユーザ装置の送信パラメータを決定するステップと、
前記処理ユニットによって、前記１つ又は複数のターゲットユーザ装置の決定された送信パラメータを使用することによってジョイントデータ送信を実行するステップとを含む、方法。
【請求項３】
ジョイントデータ送信方法であって、処理ユニットによって、前記処理ユニットに接続された分散送信ユニットをＮ個のサブクラスタに分類するステップと、
前記処理ユニットによって、各サブクラスタによってカバーされるユーザ装置から１つ又は複数のターゲットユーザ装置を選択するステップと、
前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための１つ又は複数の分散送信ユニットを選択し、前記選択された分散送信ユニットによって送信されたビームから前記ユーザ装置のための１つ又は複数のビームを選択し、前記選択されたビームから干渉を受ける他のターゲットユーザ装置を決定するとともに、前記選択されたビームによって前記他のターゲットユーザ装置にもたらされる前記干渉に関する情報に従って、前記ユーザ装置の送信パラメータを決定するステップと、
前記１つ又は複数のターゲットユーザ装置の決定された送信パラメータを使用することによってジョイントデータ送信を実行するステップとを含み、
前記ビームが、前記Ｎ個のサブクラスタ内の複数の分散送信ユニットによって生成されるとともに、異なるユーザ装置に対する異なるビームが異なる放射強度を有する、方法。
【請求項４】
ジョイントデータ送信方法であって、
処理ユニットによって、前記処理ユニットに接続された分散送信ユニットをＮ個のサブクラスタに分類するステップと、
前記処理ユニットによって、各サブクラスタによってカバーされるユーザ装置から１つ又は複数のターゲットユーザ装置を選択するステップと、
前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための対応する分散送信ユニットを選択するステップと、
前記処理ユニットによって、各分散送信ユニットに関して、前記送信ユニットから干渉を受ける他のターゲットユーザ装置を決定するとともに、前記他のターゲットユーザ装置に対する前記干渉に関する情報に従って、前記分散送信ユニットに対応するユーザ装置の送信パラメータを計算するステップと、
前記処理ユニットによって、複数の異なる分散送信ユニットによって送信される信号を同じユーザ装置に一緒に送信するステップとを含む、方法。
【請求項５】
ベースバンド処理ユニットであって、
プロセッサとメモリとを備え、
前記メモリが、アプリケーションプログラムと、前記プロセッサによって前記アプリケーションプログラムを実行する過程で生成されたデータとを格納するように構成され、
前記プロセッサが、前記メモリに格納された前記アプリケーションプログラムを実行して、下記の機能、すなわち、当該処理ユニットに接続された分散送信ユニットをＮ個のサブクラスタに分類するステップと、各サブクラスタによってカバーされるユーザ装置から１つ又は複数のターゲットユーザ装置を選択するステップとを実施し、その結果、前記Ｎ個のサブクラスタ内の前記分散送信ユニットが、前記１つ又は複数のターゲットユーザ装置に対するジョイントデータ送信を実行する、ように構成される、ベースバンド処理ユニット。
【請求項６】
前記プロセッサが、
前記１つ又は複数のターゲットユーザ装置のうちのいずれか１つに関して、前記Ｎ個のサブクラスタ内の前記分散送信ユニットから、前記ターゲットユーザ装置のための１つ又は複数の分散送信ユニットを選択し、前記選択された分散送信ユニットから干渉を受ける他のターゲットユーザ装置を決定するとともに、前記選択された分散送信ユニットによって前記他のターゲットユーザ装置にもたらされる前記干渉に関する情報に従って、前記ターゲットユーザ装置の送信パラメータを決定し、前記１つ又は複数のターゲットユーザ装置の決定された送信パラメータを使用することによってジョイントデータ送信を実行するように更に構成される、請求項５に記載のベースバンド処理ユニット。
【請求項７】
前記プロセッサが、
前記１つ又は複数のターゲットユーザ装置のうちのいずれか１つに関して、前記Ｎ個のサブクラスタ内の前記分散送信ユニットから、前記ターゲットユーザ装置のための１つ又は複数の分散送信ユニットを選択し、前記選択された分散送信ユニットによって送信されたビームから前記ユーザ装置のための１つ又は複数のビームを選択し、前記選択されたビームから干渉を受ける他のターゲットユーザ装置を決定するとともに、前記選択されたビームによって前記他のターゲットユーザ装置にもたらされる前記干渉に関する情報に従って、前記ユーザ装置の送信パラメータを決定し、前記１つ又は複数のターゲットユーザ装置の決定された送信パラメータを使用することによってジョイントデータ送信を実行するように更に構成され、
前記ビームが、前記Ｎ個のサブクラスタ内の複数の分散送信ユニットによって生成されるとともに、異なるユーザ装置に対する異なるビームが異なる放射強度を有する、請求項５に記載のベースバンド処理ユニット。
【請求項８】
前記プロセッサは、当該処理ユニットが、
前記１つ又は複数のターゲットユーザ装置のうちのいずれか１つに関して、前記Ｎ個のサブクラスタ内の前記分散送信ユニットから、前記ターゲットユーザ装置のための対応する分散送信ユニットを選択し、
各分散送信ユニットに関して、前記他のターゲットユーザ装置に対する干渉に関する情報に従って、前記分散送信ユニットに対応するユーザ装置の送信パラメータを計算するとともに、
複数の異なる分散送信ユニットによって送信される信号を同じユーザ装置に一緒に送信するように、更に構成される、請求項５に記載のベースバンド処理ユニット。
【請求項９】
請求項５から請求項８のいずれか一項に記載のベースバンドプロセッサを備える、基地局。
【請求項１０】
複数のＲＲＵと、前記複数のＲＲＵに接続されたベースバンドプロセッサＢＢＵとを備える分散送信システムであって、前記ＢＢＵが、請求項５から請求項８のいずれか一項に記載のベースバンドプロセッサである、分散送信システム。
【請求項１１】
複数の第１の基地局と、前記複数の第１の基地局に接続された第２の基地局とを備える分散送信システムであって、前記第２の基地局が、請求項５から請求項８のいずれか一項に記載のベースバンドプロセッサを備える、分散送信システム。
【発明の詳細な説明】
【技術分野】
【０００１】
本出願は、“JOINT  DATA  TRANSMISSION  METHOD  AND  DEVICE”と表題が付けられ、２０１５年１２月３１日に中国特許庁に出願された中国特許出願第201511032504.2号に対する優先権を主張するとともに、それはその全体における参照により本明細書に組み込まれている。
【０００２】
本出願は、通信分野に関し、特に、ジョイントデータ送信方法及び装置に関する。
【背景技術】
【０００３】
分散アンテナシステムは、例えば無線遠隔ユニット（Radio  Remote  Unit、ＲＲＵ）のように異なる地理的位置に分散された分散送信ユニットを使用することによって、複数のユーザ装置に同時にデータを送信する。図１において示されるように、分散送信ユニット（三角形で表される）１は、ユーザ装置（点で表される）１に対してデータを送信し、分散送信ユニット２は、ユーザ装置２に対してデータを送信する。分散送信ユニットが、この通信機構に基づいて、分散送信ユニットによってサービスされるユーザ装置にデータを送信する場合に、干渉が他のユーザ装置にもたらされる。例えば、図１において、分散送信ユニット１は、ユーザ装置２に干渉をもたらし、分散送信ユニット１は、ユーザ装置２に干渉をもたらす。前述の現象は、分散アンテナシステム内の相互干渉と呼ばれる。
【０００４】
現在、分散アンテナシステムにおけるチャネル間の相互干渉の問題を解決するために、ジョイントデータ送信技術が使用されている。ジョイントデータ送信が、ここで説明される。各分散送信ユニットと各ユーザ装置との間の例えば統計的チャネル特性又はリアルタイムチャネル特性などの情報に従って、信号を送信するために各送信アンテナによって使用される送信の重み又は電力が計算されるとともに、各ユーザ装置の送信されるべきデータは、重みを使用することによって重み付けされた後で送信され、その結果、他のユーザ装置のデータを搬送する信号は、このユーザ装置に到着したときに逆方向にオフセットされ、干渉をキャンセルする。
【０００５】
しかしながら、既存のジョイントデータ送信技術は比較的高い複雑さを有する。
【発明の概要】
【０００６】
本出願は、分散アンテナシステム性能を保証しながらジョイントデータ送信の複雑さを低減するという問題を解決するために、ジョイントデータ送信方法及び装置を提供する。
【０００７】
前述の目的を達成するために、本出願は下記の技術的解決法を提供する。
【０００８】
本出願の第１の態様は、ジョイントデータ送信方法であって、処理ユニットによって、前記処理ユニットに接続された分散送信ユニットをＮ個のサブクラスタに分類するステップと、前記処理ユニットによって、各サブクラスタによってカバーされるユーザ装置から１つ又は複数のターゲットユーザ装置を選択するステップと、前記処理ユニットによって、前記Ｎ個のサブクラスタ内の前記分散送信ユニットを使用することによって、前記１つ又は複数のターゲットユーザ装置に対するジョイントデータ送信を実行するステップとを含む、方法を提供する。
【０００９】
本出願の第２の態様は、ジョイントデータ送信方法であって、処理ユニットによって、前記処理ユニットに接続された分散送信ユニットをＮ個のサブクラスタに分類するステップと、前記処理ユニットによって、各サブクラスタによってカバーされるユーザ装置から１つ又は複数のターゲットユーザ装置を選択するステップと、前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための１つ又は複数の分散送信ユニットを選択し、前記選択された分散送信ユニットから干渉を受ける他のターゲットユーザ装置を決定するとともに、前記選択された分散送信ユニットによって前記他のターゲットユーザ装置にもたらされる前記干渉に関する情報に従って、前記ターゲットユーザ装置の送信パラメータを決定するステップと、前記処理ユニットによって、前記１つ又は複数のターゲットユーザ装置の決定された送信パラメータを使用することによってジョイントデータ送信を実行するステップとを含む、方法を提供する。
【００１０】
本出願の第３の態様は、ジョイントデータ送信方法であって、処理ユニットによって、前記処理ユニットに接続された分散送信ユニットをＮ個のサブクラスタに分類するステップと、前記処理ユニットによって、各サブクラスタによってカバーされるユーザ装置から１つ又は複数のターゲットユーザ装置を選択するステップと、前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための１つ又は複数の分散送信ユニットを選択し、前記選択された分散送信ユニットによって送信されたビームから前記ユーザ装置のための１つ又は複数のビームを選択し、前記選択されたビームから干渉を受ける他のターゲットユーザ装置を決定するとともに、前記選択されたビームによって前記他のターゲットユーザ装置にもたらされる前記干渉に関する情報に従って、前記ユーザ装置の送信パラメータを決定するステップと、前記１つ又は複数のターゲットユーザ装置の決定された送信パラメータを使用することによってジョイントデータ送信を実行するステップとを含み、前記ビームが、前記Ｎ個のサブクラスタ内の複数の分散送信ユニットによって生成されるとともに、異なるユーザ装置に対する異なるビームが異なる放射強度を有する、方法を提供する。
【００１１】
本出願の第４の態様は、ジョイントデータ送信方法であって、処理ユニットによって、前記処理ユニットに接続された分散送信ユニットをＮ個のサブクラスタに分類するステップと、前記処理ユニットによって、各サブクラスタによってカバーされるユーザ装置から１つ又は複数のターゲットユーザ装置を選択するステップと、前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための対応する分散送信ユニットを選択するステップと、前記処理ユニットによって、各分散送信ユニットに関して、前記送信ユニットから干渉を受ける他のターゲットユーザ装置を決定するとともに、前記他のターゲットユーザ装置に対する前記干渉に関する情報に従って、前記分散送信ユニットに対応するユーザ装置の送信パラメータを計算するステップと、前記処理ユニットによって、複数の異なる分散送信ユニットによって送信される信号を同じユーザ装置に一緒に送信するステップとを含む、方法を提供する。
【００１２】
前述のジョイントデータ送信方法によれば、サブクラスタ間の干渉が回避されることができ、それにより、システム性能が向上する。さらに、先行技術と比較して、前述のジョイントデータ送信方法は、比較的低い複雑さを有する。
【００１３】
本出願の第５の態様は、ベースバンド処理ユニットであって、プロセッサとメモリとを含み、前記メモリが、アプリケーションプログラムと、前記プロセッサによって前記アプリケーションプログラムを実行する過程で生成されたデータとを格納するように構成され、前記プロセッサが、前記メモリに格納された前記アプリケーションプログラムを実行して、前述のジョイントデータ送信処理を実施するように構成される、ベースバンド処理ユニットを提供する。
【００１４】
本出願の第６の態様は、前述のベースバンドプロセッサを含む、基地局を提供する。
【００１５】
本出願の第７の態様は、複数のＲＲＵと、前記複数のＲＲＵに接続されたベースバンドプロセッサＢＢＵとを含む分散送信システムであって、前記ＢＢＵが、前述のベースバンドプロセッサである、分散送信システムを提供する。
【００１６】
本出願の第８の態様は、複数の第１の基地局と、前記複数の第１の基地局に接続された第２の基地局とを含む分散送信システムであって、前記第２の基地局が、前述のベースバンドプロセッサを含む、分散送信システムを提供する。
【００１７】
本出願の実施例におけるか又は従来技術における技術的解決法をより明確に説明するために、下記は、実施例又は従来技術を説明するために必要とされる添付図面を簡単に説明する。明らかに、下記の説明における添付図面は本出願のいくつかの実施例を表すとともに、当業者は、創造的な努力なしでこれらの添付図面からさらに他の図面を導き出し得る。
【図面の簡単な説明】
【００１８】
【図１】複数のユーザ装置に対するデータを分散送信ユニットによって同時に送信することの概略図である。
【図２】本出願の一実施例において開示されるジョイントデータ送信方法のフローチャートである。
【図３】本出願の一実施例において開示されるジョイントデータ送信の概略図である。
【図４】本出願の一実施例において開示される他のジョイントデータ送信方法のフローチャートである。
【図５】本出願の一実施例において開示されるジョイントデータ送信の概略図である。
【図６】本出願の一実施例において開示される他のジョイントデータ送信方法のフローチャートである。
【図７】本出願の一実施例において開示されるジョイントデータ送信の概略図である。
【図８】本出願の一実施例において開示される他のジョイントデータ送信方法のフローチャートである。
【図９】本出願の一実施例において開示されるジョイントデータ送信の概略図である。
【図１０】本出願の一実施例において開示されるベースバンド処理ユニットの概略構成図である。
【図１１】本出願の一実施例において開示される基地局の概略構成図である。
【発明を実施するための形態】
【００１９】
本出願の実施例は、複数の分散送信ユニットと複数のユーザ装置との間でジョイントデータ送信が実行されるシナリオに適用される。複数の分散送信ユニットは、同じベースバンド処理ユニットＢＢＵに接続されたＲＲＵであり得るか、又は複数の相互接続された基地局であり得るとともに、複数の基地局は、複数の基地局のうちの１つのＢＢＵに全て接続される。
【００２０】
下記では、本出願の実施例における技術的解決法を、本出願の実施例における添付図面を参照して説明する。
【００２１】
図２は、下記のステップを含むジョイントデータ送信方法を示す。
【００２２】
Ｓ２０１．処理ユニットは、処理ユニットに接続された分散送信ユニットをＮ個のサブクラスタに分類する。
【００２３】
本出願のこの実施例では、処理ユニットは、個別に配置されたＢＢＵであり得るか、又は基地局に配置されたＢＢＵであり得る。
【００２４】
Ｓ２０２．処理ユニットは、各サブクラスタによってカバーされるユーザ装置から１つ又は複数のターゲットユーザ装置を選択する。
【００２５】
具体的には、処理ユニットは、送信されるべきデータに対して媒体アクセス制御レイヤ（Media  Access  Control  Layer、MAC  Layer）処理を実行する際にＳ２０２を実行してもよく、すなわち、ＭＡＣレイヤにおいて、各サブクラスタによってカバーされるユーザ装置からターゲットユーザ装置を選択する。
【００２６】
ターゲットユーザ装置を選択するための複数のポリシーが存在する。一般的な方法は、より良いチャネル状態を有するユーザ装置を選択すること、高い優先順位を有するユーザ装置を選択すること、ユーザ装置間に良好な直交性を有するユーザ装置を選択すること、公平性に従ってローテーション方式でユーザ装置をスケジューリングすること、及びそのような方法に基づいたいくつかの改善された方法を含む。
【００２７】
Ｓ２０３．処理ユニットは、Ｎ個のサブクラスタ内の分散送信ユニットを使用することによって、１つ又は複数のターゲットユーザ装置に対するジョイントデータ送信を実行する。
【００２８】
具体的には、処理ユニットは、送信されるべきデータに対して物理レイヤ（physical  layer）処理を実行する際にＳ２０３を実行してもよく、すなわち、物理レイヤにおいて、複数の分散送信ユニットを使用することによって、複数のターゲットユーザ装置に対するジョイントデータ送信を実行する。
【００２９】
前述の処理が、一例を用いて説明される。図３において示されるように、Ｌ２はＭＡＣレイヤを表し、Ｌ１は物理レイヤを表し、三角形は分散送信ユニットを表し、暗い色の塗りつぶされた円は、サブクラスタから選択されたユーザ装置、すなわちターゲットユーザ装置を表すとともに、明るい色の塗りつぶされた円は、サブクラスタ内で選択されていないユーザ装置を表す。
【００３０】
図３において、処理ユニットは、分散送信ユニットを２つのサブクラスタに分類し、Ｌ２レイヤにおいて、各サブクラスタの分散送信ユニットによってカバーされるユーザ装置から、ターゲットユーザ装置を選択し、Ｌ１レイヤにおいて、ターゲットユーザ装置のための全ての分散送信ユニットを使用することによって、ジョイントデータ送信を実行する。
【００３１】
本実施例において説明される方法では、分散送信ユニットがクラスタに分類された後で、各サブクラスタからターゲットユーザ装置が選択され、すなわち、ユーザ装置単位ではなく、ユーザ装置グループ単位で検討が行われる、ということが学習され得る。これは、複雑さを軽減する。さらに、どのターゲットユーザ装置が選択されているかに関わらず、全ての分散送信ユニットが、ジョイントスケジューリングのためにＬ１レイヤにおいて使用される。このようにして、サブクラスタ間の干渉が回避されることができ、それにより、システム性能が向上する。
【００３２】
図４は、本出願の一実施例において開示される他のジョイントデータ送信方法である。図２において示される方法との相違点は、各サブクラスタから１つ又は複数のターゲットユーザ装置を選択した後で、１つ又は複数のターゲットユーザ装置のうちのいずれか１つに関して、処理ユニットが、Ｎ個のサブクラスタ内の分散送信ユニットから、ターゲットユーザ装置のための１つ又は複数の分散送信ユニットを選択し、選択された分散送信ユニットから干渉を受ける他のターゲットユーザ装置を決定するとともに、選択された分散送信ユニットよって他のターゲットユーザ装置にもたらされる干渉に関する情報に従って、ターゲットユーザ装置の送信パラメータを決定し、全てのターゲットユーザ装置の送信パラメータを順次決定した後で、１つ又は複数のターゲットユーザ装置の決定された送信パラメータを使用することによってジョイントデータ送信を実行することにある。
【００３３】
具体的には、ターゲットユーザ装置のための分散送信ユニットを選択するための複数の選択方法が存在する。例えば、下記のようである。
【００３４】
１．分散送信ユニットは、分散送信ユニットによってユーザ装置に送信される信号の強度に従ってランク付けされ、最も強い送信信号強度を有する１つ又は複数の分散送信ユニットが選択される。
【００３５】
２．最も強い送信信号強度を有する分散送信ユニットによって送信された信号の強度に対する各分散送信ユニットによって送信された信号の強度の比に従って、比が予め設定された値よりも大きい全ての分散送信ユニットが選択される。
【００３６】
例えば、図５において示されるように、Ｌ１レイヤ処理ステージでは、最も左側の２つの分散送信ユニットが、ターゲットユーザ装置１（最も左側のユーザ装置）に対して選択され、その場合に、ターゲットユーザ装置１に隣接するターゲットユーザ装置２が、最も左側の２つの分散送信ユニットからの干渉を受けていると判定される。したがって、処理ユニットは、最も左側の２つの分散送信ユニットを使用することによって、ターゲットユーザ装置１及びターゲットユーザ装置２に対して、ジョイントデータ送信を実行する。
【００３７】
本実施例において説明される方法では、Ｌ２レイヤにおけるクラスタリングは、計算の複雑さを低減することができ、複数のサブクラスタの並列処理が実施されるとともに、Ｌ１レイヤにおける処理が、ユーザ装置単位で実行され、その結果、計算の複雑さが低減されることができ、システム性能を保証しながら並列処理が実施される。
【００３８】
図４において示される方法では、各分散送信ユニットが比較的多数のアンテナを有する場合に、依然として比較的高い複雑さの問題が存在する。例えば、典型的なシナリオでは、１つのユーザ装置が、３〜５個のＲＲＵを“見る（see）”可能性がある。すなわち、各ＲＲＵが８つのアンテナを有する場合、１つのＵＥは、２４〜４０個のアンテナを“見る（see）”可能性がある。したがって、この量のアンテナがジョイントデータ送信に使用されると、依然として計算量は比較的大きくなる。
【００３９】
計算の複雑さを更に低減するために、図６において示されるジョイントデータ送信方法が使用される。図６に示す方法と、図２又は図４における方法との間の相違点は、１つ又は複数のターゲットユーザ装置を選択した後で、１つ又は複数のターゲットユーザ装置のうちのいずれか１つに関して、処理ユニットが、Ｎ個のサブクラスタ内の分散送信ユニットから、ターゲットユーザ装置のための１つ又は複数の分散送信ユニットを選択し、選択された分散送信ユニットによって送信されたビームからユーザ装置のための１つ又は複数のビームを選択し、選択されたビームから干渉を受ける他のターゲットユーザ装置を決定するとともに、選択されたビームによって他のターゲットユーザ装置にもたらされる干渉に関する情報に従って、ユーザ装置の送信パラメータを決定し、全てのターゲットユーザ装置の送信パラメータを順次決定した後で、１つ又は複数のターゲットユーザ装置の決定された送信パラメータを使用することによってジョイントデータ送信を実行することにある。
【００４０】
ビームは、Ｎ個のサブクラスタ内の複数の分散送信ユニットによって生成されるとともに、同じユーザ装置に対する異なるビームは、異なる放射強度を有する。
【００４１】
例えば、図７において示されるように、各ＲＲＵは、まず、異なる方向を指す複数の（アナログ／デジタル）ビームを生成する。ビーム１、２、３、及び４が、ＵＥ２に対して選択され、ビーム１、２、３、及び４が、ＵＥ３に干渉を生じさせると判定され、ビーム１、２、３、及び４、並びにＵＥ２とＵＥ３に従って、ＵＥ２に関する送信モードが決定され、最終的に、ビーム１、２、３、及び４を使用することによって、ＵＥ２に対してジョイントデータ送信が実行される。
【００４２】
本実施例における方法は、ジョイントデータ送信の複雑さを更に低減することができる、ということが学習され得る。
【００４３】
図８は、本出願の一実施例において開示される他のジョイントデータ送信方法である。前述の実施例との相違点は、１つ又は複数のターゲットユーザ装置を選択した後で、１つ又は複数のターゲットユーザ装置のうちのいずれか１つに関して、処理ユニットが、Ｎ個のサブクラスタ内の分散送信ユニットから、ターゲットユーザ装置のための対応する分散送信ユニットを選択し、処理ユニットが、各分散送信ユニットに関して、送信ユニットから干渉を受ける他のターゲットユーザ装置を決定するとともに、他のターゲットユーザ装置に対する干渉に関する情報に従って、例えば分散送信ユニットに対応するユーザ装置の重みなどの送信パラメータを計算し、処理ユニットが、複数の異なる分散送信ユニットによって送信される信号を同じユーザ装置に一緒に送信することにある。
【００４４】
例えば、図９において示されるように、ＲＲＵ２とＲＲＵ３の両方が、ＵＥ２とＵＥ３に対して選択される。ＲＲＵ２は、ＲＲＵ２によってＵＥ１、ＵＥ２、及びＵＥ３に対するジョイントデータ送信を実行するための例えば重みなどの送信パラメータを計算する。ＲＲＵ３は、ＲＲＵ３によってＵＥ２、ＵＥ３、及びＵＥ４に対するジョイントデータ送信を実行するための例えば重みなどの送信パラメータを計算するとともに、その場合に、ＲＲＵ２及びＲＲＵ３は、ＵＥ２に対するジョイントデータ送信を実行する。
【００４５】
本実施例における方法によれば、複雑さが更に低減されることができる。
【００４６】
図１０は、プロセッサとメモリとを含む、本出願の一実施例において開示されるベースバンド処理ユニットである。
【００４７】
メモリは、読み出し専用メモリ（Read  Only  Memory、ＲＯＭ）、静的記憶装置、動的記憶装置、又はランダムアクセスメモリ（Random  Access  Memory、ＲＡＭ）であり得る。メモリは、アプリケーションプログラムと、プロセッサによってアプリケーションプログラムを実行する過程で生成されたデータとを格納するように構成される。
【００４８】
プロセッサは、汎用中央処理装置（Central  Processing  Unit、ＣＰＵ）、マイクロプロセッサ、特定用途向け集積回路（Application  Specific  Integrated  Circuit、ＡＳＩＣ）、又は１つ若しくは複数の集積回路であり得るとともに、関連するプログラムを実行するように構成される。
【００４９】
プロセッサは、メモリに記憶されたアプリケーションプログラムを実行して、図２、図４、図６、及び図８において示される手順を実施するように構成される。
【００５０】
本実施例のベースバンド処理ユニットは、複数の分散送信ユニットを使用することによってジョイントデータ送信を実行する場合に、比較的低い計算の複雑さを有する。
【００５１】
図１１は、図１０において示されるベースバンド処理ユニットを含む、本出願の一実施例において開示される基地局である。さらに、基地局は、通信インタフェースとメモリとを含み、全ての部分がバスを用いて互いに通信する。
【００５２】
本出願の実施例は、複数のＲＲＵと、複数のＲＲＵに接続されたＢＢＵとを含む分散送信システムを更に開示しており、ＢＢＵが図１０において示されている。
【００５３】
本出願の実施例は、複数の第１の基地局と、複数の第１の基地局に接続された第２の基地局とを含む他の分散送信システムを開示しており、第２の基地局が図１１において示されている。
【００５４】
上述の分散送信システムは、複数のユーザ装置に対するジョイントデータ送信を実行する場合に、比較的低い計算の複雑さを有する。
【００５５】
本明細書の実施例は全て、漸進的に説明されているが、実施例における同一又は同様の部分については、これらの実施例を参照することができ、各実施例は他の実施例との差異に焦点を当てる。
【００５６】
上記で開示された実施例は、当業者が本発明を実施するか、又は使用することを可能にするように説明される。実施例に対して行われる様々な変更が当業者には明白であるとともに、本明細書で定義された一般原則は、本出願の精神又は範囲から逸脱することなく、同様に、他の実施例において実施され得る。したがって、本出願は、本明細書において示されるこれらの実施例に限定されるものではなく、本明細書において開示された原則及び新規な特徴と一致する最も広い範囲で解釈されるべきである。
【図１】
2019504549.tif 000003
【図２】
2019504549.tif 000004
【図３】
2019504549.tif 000005
【図４】
2019504549.tif 000006
【図５】
2019504549.tif 000007
【図６】
2019504549.tif 000008
【図７】
2019504549.tif 000009
【図８】
2019504549.tif 000010
【図９】
2019504549.tif 000011
【図１０】
2019504549.tif 000012
【図１１】
2019504549.tif 000013
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
ジョイントデータ送信方法であって、
処理ユニットによって、前記処理ユニットに接続された分散送信ユニットをＮ個のサブクラスタに分類するステップと、
前記処理ユニットによって、各サブクラスタによってカバーされるユーザ装置から１つ又は複数のターゲットユーザ装置を選択するステップと、
前記処理ユニットによって、前記Ｎ個のサブクラスタ内の前記分散送信ユニットを使用することによって、前記１つ又は複数のターゲットユーザ装置に対するジョイントデータ送信を実行するステップとを含む、方法。
【請求項２】
前記処理ユニットによって、前記Ｎ個のサブクラスタ内の前記分散送信ユニットを使用することによって、前記１つ又は複数のターゲットユーザ装置に対するジョイントデータ送信を実行する前記ステップが、
前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための１つ又は複数の分散送信ユニットを選択し、前記選択された分散送信ユニットから干渉を受ける他のターゲットユーザ装置を決定するとともに、前記選択された分散送信ユニットによって前記他のターゲットユーザ装置にもたらされる前記干渉に関する情報に従って、前記ターゲットユーザ装置の送信パラメータを決定するステップと、
前記処理ユニットによって、前記１つ又は複数のターゲットユーザ装置の決定された送信パラメータを使用することによってジョイントデータ送信を実行するステップとを含む、請求項１に記載の方法。
【請求項３】
前記選択された分散送信ユニットから干渉を受ける他のターゲットユーザ装置を決定する前記ステップが、
前記選択された分散送信ユニットによって送信されたビームから前記ターゲットユーザ装置のための１つ又は複数のビームを選択し、前記選択されたビームから干渉を受ける他のターゲットユーザ装置を決定するステップを含み、
前記選択された分散送信ユニットによって前記他のターゲットユーザ装置にもたらされる前記干渉に関する情報に従って、前記ターゲットユーザ装置の送信パラメータを決定する前記ステップが、
前記選択されたビームによって前記他のターゲットユーザ装置にもたらされる前記干渉に関する情報に従って、前記ターゲットユーザ装置の送信パラメータを決定するステップを含み、
前記ビームが、前記Ｎ個のサブクラスタ内の複数の分散送信ユニットによって生成されるとともに、異なるユーザ装置に対する異なるビームが異なる放射強度を有する、請求項２に記載の方法。
【請求項４】
前記処理ユニットによって、前記Ｎ個のサブクラスタ内の前記分散送信ユニットを使用することによって、前記１つ又は複数のターゲットユーザ装置に対するジョイントデータ送信を実行する前記ステップが、
前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための対応する分散送信ユニットを選択するステップと、
前記処理ユニットによって、各分散送信ユニットに関して、前記分散送信ユニットから干渉を受ける他のターゲットユーザ装置を決定するとともに、前記他のターゲットユーザ装置に対する前記干渉に関する情報に従って、前記分散送信ユニットに対応するユーザ装置の送信パラメータを計算するステップと、
前記処理ユニットによって、複数の異なる分散送信ユニットによって送信される信号を同じユーザ装置に一緒に送信するステップとを含む、請求項１に記載の方法。
【請求項５】
ベースバンド処理ユニットであって、
プロセッサとメモリとを備え、
前記メモリが、アプリケーションプログラムと、前記プロセッサによって前記アプリケーションプログラムを実行する過程で生成されたデータとを格納するように構成され、
前記プロセッサが、前記メモリに格納された前記アプリケーションプログラムを実行して、下記の機能、すなわち、当該処理ユニットに接続された分散送信ユニットをＮ個のサブクラスタに分類するステップと、各サブクラスタによってカバーされるユーザ装置から１つ又は複数のターゲットユーザ装置を選択するステップとを実施し、その結果、前記Ｎ個のサブクラスタ内の前記分散送信ユニットが、前記１つ又は複数のターゲットユーザ装置に対するジョイントデータ送信を実行する、ように構成される、ベースバンド処理ユニット。
【請求項６】
前記プロセッサが、
前記１つ又は複数のターゲットユーザ装置のうちのいずれか１つに関して、前記Ｎ個のサブクラスタ内の前記分散送信ユニットから、前記ターゲットユーザ装置のための１つ又は複数の分散送信ユニットを選択し、前記選択された分散送信ユニットから干渉を受ける他のターゲットユーザ装置を決定するとともに、前記選択された分散送信ユニットによって前記他のターゲットユーザ装置にもたらされる前記干渉に関する情報に従って、前記ターゲットユーザ装置の送信パラメータを決定し、前記１つ又は複数のターゲットユーザ装置の決定された送信パラメータを使用することによってジョイントデータ送信を実行するように更に構成される、請求項５に記載のベースバンド処理ユニット。
【請求項７】
前記プロセッサが、
前記１つ又は複数のターゲットユーザ装置のうちのいずれか１つに関して、前記Ｎ個のサブクラスタ内の前記分散送信ユニットから、前記ターゲットユーザ装置のための１つ又は複数の分散送信ユニットを選択し、前記選択された分散送信ユニットによって送信されたビームから前記ターゲットユーザ装置のための１つ又は複数のビームを選択し、前記選択されたビームから干渉を受ける他のターゲットユーザ装置を決定するとともに、前記選択されたビームによって前記他のターゲットユーザ装置にもたらされる前記干渉に関する情報に従って、前記ターゲットユーザ装置の送信パラメータを決定し、前記１つ又は複数のターゲットユーザ装置の決定された送信パラメータを使用することによってジョイントデータ送信を実行するように更に構成され、
前記ビームが、前記Ｎ個のサブクラスタ内の複数の分散送信ユニットによって生成されるとともに、異なるユーザ装置に対する異なるビームが異なる放射強度を有する、請求項５に記載のベースバンド処理ユニット。
【請求項８】
前記プロセッサは、当該処理ユニットが、
前記１つ又は複数のターゲットユーザ装置のうちのいずれか１つに関して、前記Ｎ個のサブクラスタ内の前記分散送信ユニットから、前記ターゲットユーザ装置のための対応する分散送信ユニットを選択し、
各分散送信ユニットに関して、他のターゲットユーザ装置に対する干渉に関する情報に従って、前記分散送信ユニットに対応するユーザ装置の送信パラメータを計算するとともに、
複数の異なる分散送信ユニットによって送信される信号を同じユーザ装置に一緒に送信するように、更に構成される、請求項５に記載のベースバンド処理ユニット。
【請求項９】
請求項５から請求項８のいずれか一項に記載のベースバンド処理ユニットを備える、基地局。
【請求項１０】
複数のＲＲＵと、前記複数のＲＲＵに接続されたベースバンド処理ユニットＢＢＵとを備える分散送信システムであって、前記ＢＢＵが、請求項５から請求項８のいずれか一項に記載のベースバンド処理ユニットである、分散送信システム。
【請求項１１】
複数の第１の基地局と、前記複数の第１の基地局に接続された第２の基地局とを備える分散送信システムであって、前記第２の基地局が、請求項５から請求項８のいずれか一項に記載のベースバンド処理ユニットを備える、分散送信システム。
【請求項１２】
請求項１から請求項４のいずれかに記載の方法をコンピュータに実行させるプログラム。
【手続補正２】
【補正対象書類名】明細書
【補正対象項目名】全文
【補正方法】変更
【補正の内容】
【発明の詳細な説明】
【技術分野】
【０００１】
本出願は、通信分野に関し、特に、ジョイントデータ送信方法及び装置に関する。
【背景技術】
【０００２】
分散アンテナシステムは、例えば無線遠隔ユニット（Radio  Remote  Unit、ＲＲＵ）のように異なる地理的位置に分散された分散送信ユニットを使用することによって、複数のユーザ装置に同時にデータを送信する。図１において示されるように、分散送信ユニット（三角形で表される）１は、ユーザ装置（点で表される）１に対してデータを送信し、分散送信ユニット２は、ユーザ装置２に対してデータを送信する。分散送信ユニットが、この通信機構に基づいて、分散送信ユニットによってサービスされるユーザ装置にデータを送信する場合に、干渉が他のユーザ装置にもたらされる。例えば、図１において、分散送信ユニット１は、ユーザ装置２に干渉をもたらし、分散送信ユニット２は、ユーザ装置１に干渉をもたらす。前述の現象は、分散アンテナシステム内の相互干渉と呼ばれる。
【０００３】
現在、分散アンテナシステムにおけるチャネル間の相互干渉の問題を解決するために、ジョイントデータ送信技術が使用されている。ジョイントデータ送信が、ここで説明される。各分散送信ユニットと各ユーザ装置との間の例えば統計的チャネル特性又はリアルタイムチャネル特性などの情報に従って、信号を送信するために各送信アンテナによって使用される送信の重み又は電力が計算されるとともに、各ユーザ装置の送信されるべきデータは、重みを使用することによって重み付けされた後で送信され、その結果、他のユーザ装置のデータを搬送する信号は、このユーザ装置に到着したときに逆方向にオフセットされ、干渉をキャンセルする。
【０００４】
しかしながら、既存のジョイントデータ送信技術は比較的高い複雑さを有する。
【発明の概要】
【０００５】
本出願は、分散アンテナシステム性能を保証しながらジョイントデータ送信の複雑さを低減するという問題を解決するために、ジョイントデータ送信方法及び装置を提供する。
【０００６】
前述の目的を達成するために、本出願は下記の技術的解決法を提供する。
【０００７】
本出願の第１の態様は、ジョイントデータ送信方法であって、処理ユニットによって、前記処理ユニットに接続された分散送信ユニットをＮ個のサブクラスタに分類するステップと、前記処理ユニットによって、各サブクラスタによってカバーされるユーザ装置から１つ又は複数のターゲットユーザ装置を選択するステップと、前記処理ユニットによって、前記Ｎ個のサブクラスタ内の前記分散送信ユニットを使用することによって、前記１つ又は複数のターゲットユーザ装置に対するジョイントデータ送信を実行するステップとを含む、方法を提供する。
【０００８】
本出願の第２の態様は、ジョイントデータ送信方法であって、処理ユニットによって、前記処理ユニットに接続された分散送信ユニットをＮ個のサブクラスタに分類するステップと、前記処理ユニットによって、各サブクラスタによってカバーされるユーザ装置から１つ又は複数のターゲットユーザ装置を選択するステップと、前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための１つ又は複数の分散送信ユニットを選択し、前記選択された分散送信ユニットから干渉を受ける他のターゲットユーザ装置を決定するとともに、前記選択された分散送信ユニットによって前記他のターゲットユーザ装置にもたらされる前記干渉に関する情報に従って、前記ターゲットユーザ装置の送信パラメータを決定するステップと、前記処理ユニットによって、前記１つ又は複数のターゲットユーザ装置の決定された送信パラメータを使用することによってジョイントデータ送信を実行するステップとを含む、方法を提供する。
【０００９】
本出願の第３の態様は、ジョイントデータ送信方法であって、処理ユニットによって、前記処理ユニットに接続された分散送信ユニットをＮ個のサブクラスタに分類するステップと、前記処理ユニットによって、各サブクラスタによってカバーされるユーザ装置から１つ又は複数のターゲットユーザ装置を選択するステップと、前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための１つ又は複数の分散送信ユニットを選択し、前記選択された分散送信ユニットによって送信されたビームから前記ユーザ装置のための１つ又は複数のビームを選択し、前記選択されたビームから干渉を受ける他のターゲットユーザ装置を決定するとともに、前記選択されたビームによって前記他のターゲットユーザ装置にもたらされる前記干渉に関する情報に従って、前記ユーザ装置の送信パラメータを決定するステップと、前記１つ又は複数のターゲットユーザ装置の決定された送信パラメータを使用することによってジョイントデータ送信を実行するステップとを含み、前記ビームが、前記Ｎ個のサブクラスタ内の複数の分散送信ユニットによって生成されるとともに、異なるユーザ装置に対する異なるビームが異なる放射強度を有する、方法を提供する。
【００１０】
本出願の第４の態様は、ジョイントデータ送信方法であって、処理ユニットによって、前記処理ユニットに接続された分散送信ユニットをＮ個のサブクラスタに分類するステップと、前記処理ユニットによって、各サブクラスタによってカバーされるユーザ装置から１つ又は複数のターゲットユーザ装置を選択するステップと、前記１つ又は複数のターゲットユーザ装置のうちのいずれか１つに関して、前記処理ユニットによって、前記Ｎ個のサブクラスタ内の前記分散送信ユニットから、前記ターゲットユーザ装置のための対応する分散送信ユニットを選択するステップと、前記処理ユニットによって、各分散送信ユニットに関して、前記送信ユニットから干渉を受ける他のターゲットユーザ装置を決定するとともに、前記他のターゲットユーザ装置に対する前記干渉に関する情報に従って、前記分散送信ユニットに対応するユーザ装置の送信パラメータを計算するステップと、前記処理ユニットによって、複数の異なる分散送信ユニットによって送信される信号を同じユーザ装置に一緒に送信するステップとを含む、方法を提供する。
【００１１】
前述のジョイントデータ送信方法によれば、サブクラスタ間の干渉が回避されることができ、それにより、システム性能が向上する。さらに、先行技術と比較して、前述のジョイントデータ送信方法は、比較的低い複雑さを有する。
【００１２】
本出願の第５の態様は、ベースバンド処理ユニットであって、プロセッサとメモリとを含み、前記メモリが、アプリケーションプログラムと、前記プロセッサによって前記アプリケーションプログラムを実行する過程で生成されたデータとを格納するように構成され、前記プロセッサが、前記メモリに格納された前記アプリケーションプログラムを実行して、前述のジョイントデータ送信処理を実施するように構成される、ベースバンド処理ユニットを提供する。
【００１３】
本出願の第６の態様は、前述のベースバンド処理ユニットを含む、基地局を提供する。
【００１４】
本出願の第７の態様は、複数のＲＲＵと、前記複数のＲＲＵに接続されたベースバンド処理ユニットＢＢＵとを含む分散送信システムであって、前記ＢＢＵが、前述のベースバンド処理ユニットである、分散送信システムを提供する。
【００１５】
本出願の第８の態様は、複数の第１の基地局と、前記複数の第１の基地局に接続された第２の基地局とを含む分散送信システムであって、前記第２の基地局が、前述のベースバンド処理ユニットを含む、分散送信システムを提供する。
【００１６】
本出願の実施例におけるか又は従来技術における技術的解決法をより明確に説明するために、下記は、実施例又は従来技術を説明するために必要とされる添付図面を簡単に説明する。明らかに、下記の説明における添付図面は本出願のいくつかの実施例を表すとともに、当業者は、創造的な努力なしでこれらの添付図面からさらに他の図面を導き出し得る。
【図面の簡単な説明】
【００１７】
【図１】複数のユーザ装置に対するデータを分散送信ユニットによって同時に送信することの概略図である。
【図２】本出願の一実施例において開示されるジョイントデータ送信方法のフローチャートである。
【図３】本出願の一実施例において開示されるジョイントデータ送信の概略図である。
【図４】本出願の一実施例において開示される他のジョイントデータ送信方法のフローチャートである。
【図５】本出願の一実施例において開示されるジョイントデータ送信の概略図である。
【図６】本出願の一実施例において開示される他のジョイントデータ送信方法のフローチャートである。
【図７】本出願の一実施例において開示されるジョイントデータ送信の概略図である。
【図８】本出願の一実施例において開示される他のジョイントデータ送信方法のフローチャートである。
【図９】本出願の一実施例において開示されるジョイントデータ送信の概略図である。
【図１０】本出願の一実施例において開示されるベースバンド処理ユニットの概略構成図である。
【図１１】本出願の一実施例において開示される基地局の概略構成図である。
【発明を実施するための形態】
【００１８】
本出願の実施例は、複数の分散送信ユニットと複数のユーザ装置との間でジョイントデータ送信が実行されるシナリオに適用される。複数の分散送信ユニットは、同じベースバンド処理ユニットＢＢＵに接続されたＲＲＵであり得るか、又は複数の相互接続された基地局であり得るとともに、複数の基地局は、複数の基地局のうちの１つのＢＢＵに全て接続される。
【００１９】
下記では、本出願の実施例における技術的解決法を、本出願の実施例における添付図面を参照して説明する。
【００２０】
図２は、下記のステップを含むジョイントデータ送信方法を示す。
【００２１】
Ｓ２０１．処理ユニットは、処理ユニットに接続された分散送信ユニットをＮ個のサブクラスタに分類する。
【００２２】
本出願のこの実施例では、処理ユニットは、個別に配置されたＢＢＵであり得るか、又は基地局に配置されたＢＢＵであり得る。
【００２３】
Ｓ２０２．処理ユニットは、各サブクラスタによってカバーされるユーザ装置から１つ又は複数のターゲットユーザ装置を選択する。
【００２４】
具体的には、処理ユニットは、送信されるべきデータに対して媒体アクセス制御レイヤ（Media  Access  Control  Layer、MAC  Layer）処理を実行する際にＳ２０２を実行してもよく、すなわち、ＭＡＣレイヤにおいて、各サブクラスタによってカバーされるユーザ装置からターゲットユーザ装置を選択する。
【００２５】
ターゲットユーザ装置を選択するための複数のポリシーが存在する。一般的な方法は、より良いチャネル状態を有するユーザ装置を選択すること、高い優先順位を有するユーザ装置を選択すること、ユーザ装置間に良好な直交性を有するユーザ装置を選択すること、公平性に従ってローテーション方式でユーザ装置をスケジューリングすること、及びそのような方法に基づいたいくつかの改善された方法を含む。
【００２６】
Ｓ２０３．処理ユニットは、Ｎ個のサブクラスタ内の分散送信ユニットを使用することによって、１つ又は複数のターゲットユーザ装置に対するジョイントデータ送信を実行する。
【００２７】
具体的には、処理ユニットは、送信されるべきデータに対して物理レイヤ（physical  layer）処理を実行する際にＳ２０３を実行してもよく、すなわち、物理レイヤにおいて、複数の分散送信ユニットを使用することによって、複数のターゲットユーザ装置に対するジョイントデータ送信を実行する。
【００２８】
前述の処理が、一例を用いて説明される。図３において示されるように、Ｌ２はＭＡＣレイヤを表し、Ｌ１は物理レイヤを表し、三角形は分散送信ユニットを表し、暗い色の塗りつぶされた円は、サブクラスタから選択されたユーザ装置、すなわちターゲットユーザ装置を表すとともに、明るい色の塗りつぶされた円は、サブクラスタ内で選択されていないユーザ装置を表す。
【００２９】
図３において、処理ユニットは、分散送信ユニットを２つのサブクラスタに分類し、Ｌ２レイヤにおいて、各サブクラスタの分散送信ユニットによってカバーされるユーザ装置から、ターゲットユーザ装置を選択し、Ｌ１レイヤにおいて、ターゲットユーザ装置のための全ての分散送信ユニットを使用することによって、ジョイントデータ送信を実行する。
【００３０】
本実施例において説明される方法では、分散送信ユニットがクラスタに分類された後で、各サブクラスタからターゲットユーザ装置が選択され、すなわち、ユーザ装置単位ではなく、ユーザ装置グループ単位で検討が行われる、ということが学習され得る。これは、複雑さを軽減する。さらに、どのターゲットユーザ装置が選択されているかに関わらず、全ての分散送信ユニットが、ジョイントスケジューリングのためにＬ１レイヤにおいて使用される。このようにして、サブクラスタ間の干渉が回避されることができ、それにより、システム性能が向上する。
【００３１】
図４は、本出願の一実施例において開示される他のジョイントデータ送信方法である。図２において示される方法との相違点は、各サブクラスタから１つ又は複数のターゲットユーザ装置を選択した後で、１つ又は複数のターゲットユーザ装置のうちのいずれか１つに関して、処理ユニットが、Ｎ個のサブクラスタ内の分散送信ユニットから、ターゲットユーザ装置のための１つ又は複数の分散送信ユニットを選択し、選択された分散送信ユニットから干渉を受ける他のターゲットユーザ装置を決定するとともに、選択された分散送信ユニットよって他のターゲットユーザ装置にもたらされる干渉に関する情報に従って、ターゲットユーザ装置の送信パラメータを決定し、全てのターゲットユーザ装置の送信パラメータを順次決定した後で、１つ又は複数のターゲットユーザ装置の決定された送信パラメータを使用することによってジョイントデータ送信を実行することにある。
【００３２】
具体的には、ターゲットユーザ装置のための分散送信ユニットを選択するための複数の選択方法が存在する。例えば、下記のようである。
【００３３】
１．分散送信ユニットは、分散送信ユニットによってユーザ装置に送信される信号の強度に従ってランク付けされ、最も強い送信信号強度を有する１つ又は複数の分散送信ユニットが選択される。
【００３４】
２．最も強い送信信号強度を有する分散送信ユニットによって送信された信号の強度に対する各分散送信ユニットによって送信された信号の強度の比に従って、比が予め設定された値よりも大きい全ての分散送信ユニットが選択される。
【００３５】
例えば、図５において示されるように、Ｌ１レイヤ処理ステージでは、最も左側の２つの分散送信ユニットが、ターゲットユーザ装置１（最も左側のユーザ装置）に対して選択され、その場合に、ターゲットユーザ装置１に隣接するターゲットユーザ装置２が、最も左側の２つの分散送信ユニットからの干渉を受けていると判定される。したがって、処理ユニットは、最も左側の２つの分散送信ユニットを使用することによって、ターゲットユーザ装置１及びターゲットユーザ装置２に対して、ジョイントデータ送信を実行する。
【００３６】
本実施例において説明される方法では、Ｌ２レイヤにおけるクラスタリングは、計算の複雑さを低減することができ、複数のサブクラスタの並列処理が実施されるとともに、Ｌ１レイヤにおける処理が、ユーザ装置単位で実行され、その結果、計算の複雑さが低減されることができ、システム性能を保証しながら並列処理が実施される。
【００３７】
図４において示される方法では、各分散送信ユニットが比較的多数のアンテナを有する場合に、依然として比較的高い複雑さの問題が存在する。例えば、典型的なシナリオでは、１つのユーザ装置が、３〜５個のＲＲＵを“見る（see）”可能性がある。すなわち、各ＲＲＵが８つのアンテナを有する場合、１つのＵＥは、２４〜４０個のアンテナを“見る（see）”可能性がある。したがって、この量のアンテナがジョイントデータ送信に使用されると、依然として計算量は比較的大きくなる。
【００３８】
計算の複雑さを更に低減するために、図６において示されるジョイントデータ送信方法が使用される。図６に示す方法と、図２又は図４における方法との間の相違点は、１つ又は複数のターゲットユーザ装置を選択した後で、１つ又は複数のターゲットユーザ装置のうちのいずれか１つに関して、処理ユニットが、Ｎ個のサブクラスタ内の分散送信ユニットから、ターゲットユーザ装置のための１つ又は複数の分散送信ユニットを選択し、選択された分散送信ユニットによって送信されたビームからユーザ装置のための１つ又は複数のビームを選択し、選択されたビームから干渉を受ける他のターゲットユーザ装置を決定するとともに、選択されたビームによって他のターゲットユーザ装置にもたらされる干渉に関する情報に従って、ユーザ装置の送信パラメータを決定し、全てのターゲットユーザ装置の送信パラメータを順次決定した後で、１つ又は複数のターゲットユーザ装置の決定された送信パラメータを使用することによってジョイントデータ送信を実行することにある。
【００３９】
ビームは、Ｎ個のサブクラスタ内の複数の分散送信ユニットによって生成されるとともに、同じユーザ装置に対する異なるビームは、異なる放射強度を有する。
【００４０】
例えば、図７において示されるように、各ＲＲＵは、まず、異なる方向を指す複数の（アナログ／デジタル）ビームを生成する。ビーム１、２、３、及び４が、ＵＥ２に対して選択され、ビーム１、２、３、及び４が、ＵＥ３に干渉を生じさせると判定され、ビーム１、２、３、及び４、並びにＵＥ２とＵＥ３に従って、ＵＥ２に関する送信モードが決定され、最終的に、ビーム１、２、３、及び４を使用することによって、ＵＥ２に対してジョイントデータ送信が実行される。
【００４１】
本実施例における方法は、ジョイントデータ送信の複雑さを更に低減することができる、ということが学習され得る。
【００４２】
図８は、本出願の一実施例において開示される他のジョイントデータ送信方法である。前述の実施例との相違点は、１つ又は複数のターゲットユーザ装置を選択した後で、１つ又は複数のターゲットユーザ装置のうちのいずれか１つに関して、処理ユニットが、Ｎ個のサブクラスタ内の分散送信ユニットから、ターゲットユーザ装置のための対応する分散送信ユニットを選択し、処理ユニットが、各分散送信ユニットに関して、送信ユニットから干渉を受ける他のターゲットユーザ装置を決定するとともに、他のターゲットユーザ装置に対する干渉に関する情報に従って、例えば分散送信ユニットに対応するユーザ装置の重みなどの送信パラメータを計算し、処理ユニットが、複数の異なる分散送信ユニットによって送信される信号を同じユーザ装置に一緒に送信することにある。
【００４３】
例えば、図９において示されるように、ＲＲＵ２とＲＲＵ３の両方が、ＵＥ２とＵＥ３に対して選択される。ＲＲＵ２は、ＲＲＵ２によってＵＥ１、ＵＥ２、及びＵＥ３に対するジョイントデータ送信を実行するための例えば重みなどの送信パラメータを計算する。ＲＲＵ３は、ＲＲＵ３によってＵＥ２、ＵＥ３、及びＵＥ４に対するジョイントデータ送信を実行するための例えば重みなどの送信パラメータを計算するとともに、その場合に、ＲＲＵ２及びＲＲＵ３は、ＵＥ２に対するジョイントデータ送信を実行する。
【００４４】
本実施例における方法によれば、複雑さが更に低減されることができる。
【００４５】
図１０は、プロセッサとメモリとを含む、本出願の一実施例において開示されるベースバンド処理ユニットである。
【００４６】
メモリは、読み出し専用メモリ（Read  Only  Memory、ＲＯＭ）、静的記憶装置、動的記憶装置、又はランダムアクセスメモリ（Random  Access  Memory、ＲＡＭ）であり得る。メモリは、アプリケーションプログラムと、プロセッサによってアプリケーションプログラムを実行する過程で生成されたデータとを格納するように構成される。
【００４７】
プロセッサは、汎用中央処理装置（Central  Processing  Unit、ＣＰＵ）、マイクロプロセッサ、特定用途向け集積回路（Application  Specific  Integrated  Circuit、ＡＳＩＣ）、又は１つ若しくは複数の集積回路であり得るとともに、関連するプログラムを実行するように構成される。
【００４８】
プロセッサは、メモリに記憶されたアプリケーションプログラムを実行して、図２、図４、図６、及び図８において示される手順を実施するように構成される。
【００４９】
本実施例のベースバンド処理ユニットは、複数の分散送信ユニットを使用することによってジョイントデータ送信を実行する場合に、比較的低い計算の複雑さを有する。
【００５０】
図１１は、図１０において示されるベースバンド処理ユニットを含む、本出願の一実施例において開示される基地局である。さらに、基地局は、通信インタフェースとメモリとを含み、全ての部分がバスを用いて互いに通信する。
【００５１】
本出願の実施例は、複数のＲＲＵと、複数のＲＲＵに接続されたＢＢＵとを含む分散送信システムを更に開示しており、ＢＢＵが図１０において示されている。
【００５２】
本出願の実施例は、複数の第１の基地局と、複数の第１の基地局に接続された第２の基地局とを含む他の分散送信システムを開示しており、第２の基地局が図１１において示されている。
【００５３】
上述の分散送信システムは、複数のユーザ装置に対するジョイントデータ送信を実行する場合に、比較的低い計算の複雑さを有する。
【００５４】
本明細書の実施例は全て、漸進的に説明されているが、実施例における同一又は同様の部分については、これらの実施例を参照することができ、各実施例は他の実施例との差異に焦点を当てる。
【００５５】
上記で開示された実施例は、当業者が本発明を実施するか、又は使用することを可能にするように説明される。実施例に対して行われる様々な変更が当業者には明白であるとともに、本明細書で定義された一般原則は、本出願の精神又は範囲から逸脱することなく、同様に、他の実施例において実施され得る。したがって、本出願は、本明細書において示されるこれらの実施例に限定されるものではなく、本明細書において開示された原則及び新規な特徴と一致する最も広い範囲で解釈されるべきである。
【国際調査報告】
2019504549.tif 000014
2019504549.tif 000015
2019504549.tif 000016
2019504549.tif 000017